(57)【要約】【課題】この発明は、表示サイズや形状の拡張性が高く、乗場壁に容易に取り付け・取り外しできるエレベータのホールランタンを得る。【解決手段】ホールランタン５は、かごの到着を表示する表示部６ａを有するフィルム状の面発光素子６と、面発光素子６の背面側に配設されて、面発光素子６を支持する基台７と、基台７との間に面発光素子６を挟み込むように面発光素子６の表面側に配設された透光性のカバー部材９と、カバー部材９と基台７を連結する取付具１１と、乗場壁４に配設される取付ブラケット１４と、取付ブラケット１４に着脱可能に装着される取付座１１ｂと、を備える。【選択図】図２
2015009906.tif 000002
【特許請求の範囲】
【請求項１】
エレベータの乗場壁に設置されて、かごの到着を報知するエレベータのホールランタンにおいて、
上記かごの到着を表示する表示部を有するフィルム状の面発光素子と、
上記面発光素子の背面側に配設されて、上記面発光素子を支持する基台と、
上記基台との間に上記面発光素子を挟み込むように上記面発光素子の表面側に配設された透光性のカバー部材と、
上記カバー部材と上記基台を連結する取付具と、
連結された上記カバー部材と上記基台を上記乗場壁から突出するように上記乗場壁に固定する固定手段と、を備えていることを特徴とするエレベータのホールランタン。
【請求項２】
上記取付具は、上記カバー部材の表面に沿って上記カバー部材の幅方向の全域にわたって配設されて、上記カバー部材を上記基台側に押圧する押え部と、上記押え部の両端から内側に曲げられて上記基台の裏面に係合し、上記押え部の上記カバー部材からの抜けを阻止する係止部と、を備えていることを特徴とする請求項１記載のエレベータのホールランタン。
【請求項３】
凹溝が上記押え部を収納する溝幅で上記カバー部材の表面の幅方向の全域にわたって凹設され、凹部が上記係止部を収納する溝幅で上記基台の裏面に上記凹溝の両端に連なるように凹設され、上記取付具が、上記押え部を上記凹溝内に収納され、上記係止部を上記凹部内に収納されて、上記カバー部材と上記基台に取り付けられていることを特徴とする請求項２記載のエレベータのホールランタン。
【請求項４】
上記凹溝および上記凹部が、上記カバー部材および上記基台の上下方向の中央位置に形成され、
上記面発光素子が、配線部を上記凹溝の背面側に配置させ、上記表示部を上記凹溝の上方および下方に位置させるように、上記カバー部材と上記基台の間に配設されていることを特徴とする請求項３記載のエレベータのホールランタン。
【請求項５】
上記固定手段は、上記乗場壁に設置された取付ブラケットと、上記取付具の上記係止部に一体に形成されて上記取付ブラケットに着脱可能に装着される取付座と、を備えていることを特徴とする請求項２から請求項４のいずれか１項に記載のエレベータのホールランタン。
【発明の詳細な説明】
【技術分野】
【０００１】
この発明は、エレベータの乗場に設けられたホールランタンに関するものである。
【背景技術】
【０００２】
エレベータのホールランタンは、エレベータの乗場にいる利用者に対して、かごの到着を予報するとともに、到着後の運転方向を表示するものであり、並設されたエレベータの各乗場出入り口に対応して設けられている。
【０００３】
従来のエレベータのホールランタンは、異なる色の発光ダイオードを透光性のアクリル導光板の周縁部に複数配設し、発光ダイオードの発光色に感光反応する塗料で表現された文字や矢印が印刷された感光性フィルムをアクリル導光板の表面に配設して構成されていた（例えば、特許文献１参照）。
【０００４】
また、他の従来のエレベータのホールランタンは、複数枚のフィルム状の有機エレクトロルミネッセンス素子を組み合わせて三次元形状に形成された発光体を乗場壁面に固定して構成されていた（例えば、特許文献２参照）。
【先行技術文献】
【特許文献】
【０００５】
【特許文献１】特許第４９３９７７６号公報
【特許文献２】特許第４９２３７５９号公報
【発明の概要】
【発明が解決しようとする課題】
【０００６】
しかしながら、特許文献１に記載の従来のエレベータのホールランタンでは、導光体を用いているので、表示サイズに制限があるという課題があった。さらに、基本的には表示面を平面とする必要があるので、任意の形状を作製し難いという問題もあった。
また、特許文献２に記載の従来のエレベータのホールランタンは、薄く、低剛性の有機エレクトロルミネッセンス素子を複数枚組み合わせて三次元形状に形成して発光体を作製しているので、発光体の取り扱いに注意が必要であり、その取り付け・取り外しの作業性が低下するという問題があった。
【０００７】
本発明は、このような課題を解決するためになされたものであり、表示サイズや形状の拡張性が高く、乗場壁に容易に取り付け・取り外しできるエレベータのホールランタンを得ることを目的とする。
【課題を解決するための手段】
【０００８】
本発明に係るエレベータのホールランタンは、エレベータの乗場壁に設置されて、かごの到着を報知するエレベータのホールランタンであって、上記かごの到着を表示する表示部を有するフィルム状の面発光素子と、上記面発光素子の背面側に配設されて、上記面発光素子を支持する基台と、上記基台との間に上記面発光素子を挟み込むように上記面発光素子の表面側に配設された透光性のカバー部材と、上記カバー部材と上記基台を連結する取付具と、連結された上記カバー部材と上記基台を上記乗場壁から突出するように上記乗場壁に固定する固定手段と、を備えている。
【発明の効果】
【０００９】
本発明によれば、フィルム状の面発光素子を用いているので、表示サイズに制約が無く、かつ任意の形状に作製し易い。そこで、表示サイズや形状の拡張性の高いホールランタンを実現できる。
また、薄く、低剛性の面発光素子が基台とカバー部材との間に挟み込まれ、取付具により連結一体化されているので、ハンドリングが容易となり、ホールランタンの取り付け・取り外しの作業性が高められる。
【図面の簡単な説明】
【００１０】
【図１】エレベータの乗場の正面図である。
【図２】この発明の実施の形態１に係るエレベータのホールランタンの構成を説明する分解斜視図である。
【図３】この発明の実施の形態２に係るエレベータのホールランタンの構成を説明する分解斜視図である。
【発明を実施するための形態】
【００１１】
以下、本発明のエレベータのホールランタンの好適な実施の形態について図面を用いて説明する。
【００１２】
実施の形態１．
図１はエレベータの乗場の正面図、図２はこの発明の実施の形態１に係るエレベータのホールランタンの構成を説明する分解斜視図である。
【００１３】
図１において、乗場三方枠１は、乗場に立設され、乗場出入り口を構成する。乗場ドア２は、乗場三方枠１の昇降路側に設けられ、乗場出入り口を開閉する。乗場釦３は、乗場においてかごの呼びを登録する上方向乗場呼び釦３ａおよび下方向乗場呼び釦３ｂを備え、乗場壁４に配設されている。ホールランタン５は、乗場壁４に配設され、かごの到着を予報するとともに、到着後の運転方向を表示する。
【００１４】
つぎに、ホールランタン５の具体的な構成について図２を参照しつつ説明する。
【００１５】
ホールランタン５は、かごの到着および到着後の運転方向を表示する面発光素子６と、面発光素子６を保持する基台７およびカバー部材９と、基台７とカバー部材９との間に配置された面発光素子６を連結一体化する取付具１１と、を備える。
【００１６】
面発光素子６は、例えば、フィルム状の有機エレクトロルミネッセンス素子が用いられ、三角形に成形された表示部６ａと、表示部６ａの１辺から延び出る配線部６ｂと、配線部６ｂの先端に取り付けられた接続コネクタ６ｃと、を備えている。
基台７は、断面形状を二等辺三角形とする三角柱に作製されている。そして、基台７の二等辺三角形断面の等辺により構成される側面が、それぞれ、面発光素子６の載置面となる。また、凹部８が、基台７の二等辺三角形断面の底辺により構成される底面の長さ方向の中央部に、溝方向を長さ方向と直交する方向として、一定の溝深さに凹設されている。
【００１７】
カバー部材９は、透光性材料であるアクリル板を曲げ加工して、長さ方向と直交する断面形状をＶ字形とするＶ形体に作製され、基台７と同等の長さおよび頂角を有し、基台７に重ねられた際に、基台７の載置面の全域をほぼ覆うように構成されている。また、凹溝１０が、カバー部材９の長さ方向の中央部に、溝方向を長さ方向に直交する方向として、一定の溝深さに、カバー部材９の両外面に一続きに凹設されて、Ｖ字形に形成されている。
取付具１１は、ばね性を有する材料で作製され、カバー部材９の凹溝１０に装着されるＶ字形の押え部１１ａと、押え部１１ａの両端からそれぞれ内向きに曲げられた後、２回外向きに曲げられてコ字状に形成された一対の取付座１１ｂと、を備える。
【００１８】
このように構成されたホールランタン５を組み立てるには、基台７の載置面のそれぞれに、配線部６ｂが基台７の載置面の中央部で相対するように面発光素子６を２枚ずつ載置し、貼り付ける。さらに、カバー部材９を基台７に重ねる。ついで、取付具１１の押え部１１ａを開脚させ、その中に基台７に重ねられたカバー部材９を差し入れ、押え部１１ａの開脚をやめる。これにより、押え部１１ａが復元して凹溝１０内に装着され、一対の取付座１１ｂの内向きの折り曲げ部により構成される係止部１１ｃが凹部８内に挿入されて、ホールランタン５が組み立てられる。このとき、各面発光素子６の配線部６ｂが取付具１１の裏面に配置され、表示部６ａが押え部１１ａの上方および下方に配置される。
【００１９】
このように組み立てられたホールランタン５では、押え部１１ａがカバー部材９の凹溝１０内に装着され、取付座１１ｂの一部である係止部１１ｃが基台７の凹部８に挿入されているので、カバー部材９と基台７が、取付具１１からの抜けを防止されて、凹溝１０と凹部８が長さ方向の中央部に位置するように位置決めされて、連結一体化される。また、取付座１１ｂの係止部１１ｃが基台７の凹部８の底面に当接し、押え部１１ａの復元力がカバー部材９を基台７側に押圧するように作用するので、カバー部材９がガタツキ無く基台７に連結される。さらに、面発光素子６の接続コネクタ６ｃが、凹部８の底面に取り付けられた駆動回路が実装された基板１２に装着される。
【００２０】
乗場壁４には、配線穴１３が形成されている。取付ブラケット１４は、直方体に作製され、上下方向に直交する断面形状をＴ字状とする凹部１５が直方体の上面および表面に開口するように形成され、ケーブル挿通穴１６が凹部１５と直方体の裏面側とを連通するように形成されている。この取付ブラケット１４は、ケーブル挿通穴１６を配線穴１３に重ねて乗場壁４の壁面に取り付けられている。
【００２１】
そこで、制御装置（図示せず）に接続されたケーブル（図示せず）が、配線穴１３およびケーブル挿通穴１６から引き出され、基板１２に接続される。ついで、一対の取付座１１ｂを上方から凹部１５に差し入れ、ホールランタン５が乗場壁４に配設される。ホールランタン５の面発光素子６の点灯・非点灯状態が、制御装置により制御される。そして、かごが着床位置に近づくと、例えばホールランタン５の上側に配置された２枚の面発光素子６の表示部６ａが点灯される。そこで、乗場の利用者は、ホールランタン５の点灯により、かごの到着と、到着後の運転方向が上方向であることを知ることができる。また、ホールランタン５が乗場壁４から乗場側にＶ字状に突出して配設されているので、利用者は、乗場のどこにいても、面発光素子６の表示部６ａの点灯を見ることができる。
【００２２】
この実施の形態１によれば、フィルム状の面発光素子６を用いているので、表示サイズに制約が無く、かつ任意の形状に作製し易い。また、面発光素子６が基台７とカバー部材９の間に挟み込まれているので、面発光素子６は基台７の載置面およびカバー部材９の裏面の面形状に沿った形状に変形する。そこで、表示サイズや形状の拡張性の高いホールランタン５を実現できる。
【００２３】
薄く、低剛性の面発光素子６が基台７とカバー部材９との間に挟み込まれているので、ハンドリングが容易となり、ホールランタン５の取り付け・取り外しの作業性が高められる。
ホールランタン５が突出するように乗場壁４に取り付けられているので、利用者は、乗場のどこにいても、ホールランタン５の点灯を見ることができる。
【００２４】
取付具１１が、カバー部材９の表面に沿ってカバー部材９の幅方向の全域にわたって配設されて、カバー部材９を基台７側に付勢する押え部１１ａと、押え部１１ａの両端から内側に曲げられて基台７の裏面に係合し、押え部１１ａのカバー部材９からの抜けを阻止する係止部１１ｃと、を備えている。そこで、係止部１１ｃが基台７の裏面に係合するように取付具１１をカバー部材９に表面側から装着するだけで、基台７とカバー部材９とを連結できるので、ホールランタン５の組立が容易となる。
【００２５】
凹溝１０が押え部１１ａを収納できる溝幅でカバー部材９の表面の幅方向の全域にわたって凹設され、凹部８が係止部１１ｃを収納できる溝幅で基台７の裏面に凹溝１０の両端に連なるように凹設され、取付具１１が、押え部１１ａを凹溝１０内に収納され、係止部１１ｃを凹部８内に収納されて、カバー部材９と基台７に取り付けられている。そこで、カバー部材９と基台７が、取付具１１からの抜けを防止されて、かつ位置決めされて、連結一体化される。
【００２６】
凹溝１０および凹部８が、カバー部材９および基台７の上下方向の中央位置に形成され、面発光素子６が、配線部６ｂを凹溝１０の背面側に配置させ、表示部６ａを凹溝１０の上方および下方に位置させるように、カバー部材９と基台７の間に配設されている。そこで、配線部６ｂが乗場の利用者に見えなくなり、意匠性が高められる。
【００２７】
固定手段は、乗場壁４に設置された取付ブラケット１４と、取付具１１の係止部１１ｃに一体に形成されて取付ブラケット１４に着脱可能に装着される取付座１１ｂと、を備えている。そこで、取付座１１ｂを別部材で作製する必要がなく、部品点数を削減できるとともに、乗場壁４のはつり工事を含めた据え付け性が高められる。
【００２８】
カバー部材９がアクリル板を曲げ加工してＶ字形に作製されているので、厚みのあるアクリル板を切削加工するための費用が不要となり、ホールランタン５の低コスト化が図られる。
【００２９】
ここで、ホールランタン５が乗場壁４から乗場側にＶ字状に突出して配設されている。そこで、基台７を透光性材料で作製した場合、利用者の位置によっては、基台７の両載置面に載置された面発光素子６の点灯が二重に見えることになる。したがって、基台７の材料は特に限定されないが、非透光性材料であることが望ましい。また、基台７は、面発光素子６の背景となることから、基台７を面発光素子６による点灯色と色相スケールで１２０度以上離れた色にすれば、面発光素子６の点灯の識別が容易となる。
【００３０】
カバー部材９の材料は、透光性材料であれば特に限定されないが、例えば、透明性および耐候性の観点からアクリル樹脂が望ましい。
取付具１１の材料は、ばね性を有していれば特に限定されないが、強度および耐久性の観点から、ステンレスなどの金属材料が望ましい。
【００３１】
実施の形態２．
図３はこの発明の実施の形態２に係るエレベータのホールランタンの構成を説明する分解斜視図である。
【００３２】
図３において、基台２０は、例えば、着色された非透光性のアクリル板を曲げ加工して、長さ方向と直交する断面形状をＶ字形とするＶ形体に作製されている。そして、基台２０のＶ形の脚部により構成される外面が、それぞれ、面発光素子６の載置面となる。また、凹部２１が、基台２０のＶ形の脚部の底面の長さ方向の中央部に、係止部１１ｃを収納できる溝幅および溝深さで、凹設されている。
なお、実施の形態２は、基台７に替えて基台２０を用いている点を除いて、上記実施の形態１と同様に構成されている。
【００３３】
実施の形態２によるホールランタン５Ａを組み立てるには、基台２０の載置面のそれぞれに、配線部６ｂが基台２０の載置面の中央部で相対するように面発光素子６を２枚ずつ載置し、貼り付ける。さらに、カバー部材９を基台２０に重ねる。ついで、取付具１１の押え部１１ａを開脚させ、その中に基台２０に重ねられたカバー部材９を差し入れ、押え部１１ａの開脚をやめる。これにより、押え部１１ａが復元して凹溝１０内に装着され、一対の取付座１１ｂの一部である係止部１１ｃが凹部２１内に挿入され、ホールランタン５Ａが組み立てられる。このとき、各面発光素子６の配線部６ｂが取付具１１の裏面に配置され、表示部６ａが押え部１１ａの上方および下方に配置される。
【００３４】
このホールランタン５Ａでは、押え部１１ａがカバー部材９の凹溝１０内に装着され、取付座１１ｂの一部である係止部１１ｃが基台２０の凹部２１に挿入されているので、カバー部材９と基台２０が、取付具１１からの抜けを防止されて、凹溝１０と凹部２１が長さ方向の中央部に位置するように位置決めされて、連結一体化される。また、取付座１１ｂの係止部１１ｃが凹部２１の底面に当接し、押え部１１ａの復元力がカバー部材９を基台２０側に押圧するように作用して、カバー部材９がガタツキ無く基台２０に連結される。さらに、面発光素子６の接続コネクタ６ｃが、基板１２に装着される。
【００３５】
取付ブラケット１４が、ケーブル挿通穴１６を配線穴１３に重ねて乗場壁４の壁面に取り付けられる。そこで、制御装置（図示せず）に接続されたケーブル（図示せず）が、配線穴１３およびケーブル挿通穴１６から引き出され、基板１２に接続される。ついで、一対の取付座１１ｂを上方から凹部１５に差し入れ、ホールランタン５Ａが乗場壁４に配設される。ホールランタン５Ａが乗場壁４から乗場側にＶ字状に突出して配設されているので、利用者は、乗場のどこにいても、面発光素子６の点灯を見ることができる。
【００３６】
したがって、実施の形態２においても、上記実施の形態１と同様の効果が得られる。
実施の形態２によれば、基台２０がアクリル板を曲げ加工して作製されているので、厚みのあるアクリル板を切削加工するための費用が不要となり、ホールランタン５Ａの低コスト化が図られる。また、ホールランタン５Ａは、三角柱に作製された基台７を用いたホールランタン５に比べ、軽量化を図ることができる。
【００３７】
なお、上記各実施の形態では、乗場側に面するホールランタンの外面がＶ字形状に形成されているが、乗場側に面するホールランタンの外面はＶ字形状に限定されず、例えば半円形や多角形でもよい。
また、上記各実施の形態では、面発光素子の表示部が三角形に形成されているが、面発光素子の表示部の形状は三角形に限定されず、例えば、矢印でもよい。
また、上記各実施の形態では、フィルム状の面発光素子が基台の載置面に貼り付けられているが、基台の載置面、あるいはカバー部材の裏面に収納凹部を凹設し、面発光素子を収納凹部内に収納するようにしてもよい。
【００３８】
また、上記各実施の形態では、取付ブラケットと取付座により固定手段を構成しているが、固定手段は、カバー部材と基台を乗場壁に固定できれば、その構成は取付ブラケットと取付座に限定されない。
【符号の説明】
【００３９】
４  乗場壁、５，５Ａ  ホールランタン、６  面発光素子、６ａ  表示部、６ｂ  配線部、７  基台、８  凹部、９  カバー部材、１０  凹溝、１１  取付具、１１ａ  押え部、１１ｂ  取付座、１１ｃ  係止部、１４  取付ブラケット、２０  基台、２１  凹部。
【図１】
2015009906.tif 000003
【図２】
2015009906.tif 000004
【図３】
2015009906.tif 000005